(57)【要約】【課題】通信基地局を介して通信相手との通信を実施可能な移動通信装置および認証システムにおいて、制御対象となる被制御装置の鍵を簡素化し利便性を高めることができるようにする。【解決手段】スマートフォン１は、建物の鍵としての識別情報が記録された住宅用ＩＣカード１３を読み取り可能な住宅用ＩＣカード装着部３３と、通信基地局５０を介することなく、建物に設けられた読取部７１との間で通信を行うＩＣインタフェース部２７と、各種処理を行う演算部２０と、を備えている。演算部２０は、住宅用（建物用）の識別情報の送信指令を受けると、住宅用ＩＣカード装着部３３を介して識別情報を読み出し、ＩＣインタフェース部２７を介して読取部７１から識別情報を読み取り可能に保持する。そして、住宅用ＩＣカード装着部３３は、住宅用ＩＣカード１３を着脱自在に構成されている。【選択図】図２
2015034441.tif 000002
【特許請求の範囲】
【請求項１】
通信基地局を介して通信相手との通信を実施可能な移動通信装置であって、
制御対象となる被制御装置の鍵としての識別情報が記録された識別媒体を読み取り可能な媒体読取部と、
通信基地局を介することなく、前記被制御装置に設けられた被制御読取部との間で通信を行う対装置通信手段と、
前記媒体読取部を介して前記識別情報を読み出し、前記対装置通信手段を介して前記被制御読取部から前記識別情報を読み取り可能に保持する識別情報保持手段と、
を備え、
前記媒体読取部は、前記識別媒体を着脱自在に構成されていること
を特徴とする移動通信装置。
【請求項２】
請求項１に記載の移動通信装置において、
前記媒体読取部は、建物用の鍵としての識別情報が記録された識別媒体を読み取り可能であり、
前記対装置通信手段は、建物に設けられた被制御読取部との間で通信を行うこと
を特徴とする移動通信装置。
【請求項３】
請求項１に記載の移動通信装置において、
前記媒体読取部は、当該移動通信装置に装着可能な他の識別媒体とは異なる形状の識別媒体を着脱自在に構成されていること
を特徴とする移動通信装置。
【請求項４】
制御対象となる被制御装置と、使用者とともに移動可能な移動通信装置とを備えた認証システムであって、
前記被制御装置は、
前記移動通信装置に保持された識別情報を読み取る被制御読取部と、
前記識別情報を用いて認証を行う認証手段と、
認証が成功した場合に、建物における予め設定された作動を許可する作動許可手段と、
を備え、
前記移動通信装置は、
請求項１〜請求項３の何れか１項に記載の移動通信装置として構成されていること
を特徴とする認証システム。
【請求項５】
請求項４に記載の認証システムにおいて、
前記被制御装置は、建物またはその付近に配置された建物側装置として構成されていること
を特徴とする認証システム。
【請求項６】
請求項５に記載の認証システムにおいて、
前記建物側装置は、
前記認証手段による認証結果を予め設定された記録手段に記録させる記録制御手段を備えたこと
を特徴とする認証システム。
【請求項７】
請求項４〜請求項６の何れか１項に記載の認証システムにおいて、
前記認証手段は、予め使用者と識別情報とを紐付けた対応情報を用いて認証の際に使用者を特定し、
前記記録制御手段は、時刻および使用者の情報を含む認証結果を記録させること
を特徴とする認証システム。
【発明の詳細な説明】
【技術分野】
【０００１】
本発明は、通信基地局を介して通信相手との通信を実施可能な移動通信装置、および認証システムに関する。
【背景技術】
【０００２】
上記の移動通信装置として、車両や家電製品と通信をする機能を有するものが知られている（例えば、特許文献１参照）。
【先行技術文献】
【特許文献】
【０００３】
【特許文献１】特許第４４７０４１５号公報
【発明の概要】
【発明が解決しようとする課題】
【０００４】
ところで、移動通信装置の使用者は、別途、車両や建物等の鍵を所持しており、鍵を簡素化することに対する要求がある。そこで、制御対象となる被制御装置の鍵を簡素化し利便性を高めることができるようにすることを本発明の目的とする。
【課題を解決するための手段】
【０００５】
かかる目的を達成するために成された請求項１に記載の発明は、制御対象となる被制御装置の鍵としての識別情報が記録された識別媒体を読み取り可能な媒体読取部と、通信基地局を介することなく、前記被制御装置に設けられた被制御読取部との間で通信を行う対装置通信手段と、前記媒体読取部を介して前記識別情報を読み出し、前記対装置通信手段を介して前記被制御読取部から前記識別情報を読み取り可能に保持する識別情報保持手段と、を備え、媒体読取部は、識別媒体を着脱自在に構成されていることを特徴とする。
【０００６】
このような移動通信装置によれば、被制御装置の識別情報を被制御装置において読み取ることができるので、被制御装置において識別情報を用いた認証を実施させることができる。つまり、制御対象となる被制御装置の鍵を移動通信装置に持たせることができる。すなわち、被制御装置の鍵を移動通信装置と一体化することができるので、被制御装置の鍵を簡素化し利便性を高めることができる。
【０００７】
ところで、上記移動通信装置においては、請求項２に記載のように、媒体読取部は、建物用の鍵としての識別情報が記録された識別媒体を読み取り可能であり、対装置通信手段は、建物に設けられた被制御読取部との間で通信を行うようにしてもよい。
【０００８】
このような移動通信装置によれば、建物の鍵を被制御装置と一体化することができる。よって、建物の鍵を簡素化し利便性を高めることができる。
また、上記移動通信装置においては、請求項３に記載のように、媒体読取部は、当該移動通信装置に装着可能な他の識別媒体とは異なる形状の識別媒体を着脱自在に構成されていてもよい。
【０００９】
このような移動通信装置によれば、媒体読取部を特定の識別媒体（建物の鍵として利用される識別媒体）専用とすることができるので、他の識別媒体が誤って装着されることを抑制することができる。
【００１０】
また、上記目的を達成するためには、請求項４に記載のように、制御対象となる被制御装置と、使用者とともに移動可能な移動通信装置とを備えた認証システムであって、被制御装置は、移動通信装置に保持された識別情報を読み取る被制御読取部と、識別情報を用いて認証を行う認証手段と、認証が成功した場合に、被制御装置における予め設定された作動を許可する作動許可手段と、を備え、移動通信装置は、請求項１〜請求項３の何れか１項に記載の移動通信装置として構成されていることを特徴とする認証システムとしてもよい。
【００１１】
このような認証システムによれば、請求項１〜請求項３の何れか１項に記載の移動通信装置を備えているので、上記の移動通信装置と同様の効果を享受することができる。
さらに、上記認証システム１においては、請求項５に記載のように、被制御装置は、建物またはその付近に配置された建物側装置として構成されていてもよい。
【００１２】
このような認証システム１によれば、建物側装置を用いて建物の施錠や解錠等の制御等の作動許可を行うことができる。
また、上記認証システム１においては、請求項６に記載のように、建物側装置は、認証手段による認証結果を予め設定された記録手段に記録させる記録制御手段を備えていてもよい。
【００１３】
このような認証システムによれば、認証結果をログとして記録手段に保存することができる。なお、記録手段は建物側装置に設けられていてもよいし、サーバ等の他の装置に設けられていてもよい。
【００１４】
さらに、上記認証システムにおいては、請求項７に記載のように、認証手段は、予め使用者と識別情報とを紐付けた対応情報を用いて認証の際に使用者を特定し、記録制御手段は、時刻および使用者の情報を含む認証結果を記録させるようにしてもよい。
【００１５】
このような認証システムによれば、使用者および時刻を記録させることができるので、いつ誰が認証を行ったかを記録することができる。
なお、各請求項の記載は、可能な限りにおいて任意に組み合わせることができる。この際、発明の目的を達成できる範囲内において一部構成を除外してもよい。
【図面の簡単な説明】
【００１６】
【図１】本発明の概要の示す説明図である。
【図２】認証システム１００の概略構成を示すブロック図である。
【図３】車載装置６０の処理部６２（ＣＰＵ６３）および建物側装置７０の制御部７２（ＣＰＵ７３）が実行する解錠／施錠処理を示すフローチャートである。
【図４】車載装置６０の処理部６２（ＣＰＵ６３）が実行する車両始動処理を示すフローチャートである。
【図５】サーバ８０のＣＰＵ８１が実行するサーバ処理を示すフローチャートである。
【図６】ログの表示例を示す説明図である。
【図７】メモリカード１４の記録領域を示す模式図である。
【発明を実施するための形態】
【００１７】
以下に本発明にかかる実施の形態を図面と共に説明する。
［本実施形態の構成］
図１に本発明が適用された認証システム１００の概要を示す。図１に示すように、認証システム１００は、通信基地局５０を介して通信相手との通信を実施可能なスマートフォン１が、車両に搭載された車載装置６０や、建物に備えられた建物側装置７０とも通信を行うことで、車両や建物の解錠や施錠、車両の始動等を実施するための鍵として機能する。
【００１８】
特に、スマートフォン１を鍵として機能させるために、スマートフォン１は複数のカード１１〜１４を着脱自在に構成されている。そして、スマートフォン１は、各カード１１〜１４に格納された識別情報（ＩＤ）を読み出し、この識別情報を車載装置６０や建物側装置７０に送信して認証を行うことで、各カード１１〜１４に対応した装置（本実施形態では車載装置６０や建物側装置７０）を利用可能な状態にできるよう構成されている。
【００１９】
詳細には、図２以下の図面を用いて説明する。図２は認証システム１００の概略構成を示すブロック図である。
認証システム１００は、図２に示すように、スマートフォン１と、車載装置６０と、建物側装置７０と、サーバ８０と、を備えている。スマートフォン１や車載装置６０は、通信基地局５０を介してインターネット網５に接続されている。
【００２０】
建物側装置７０およびサーバ８０は、有線でインターネット網５に接続されている。インターネット網５に接続された各装置は、相互に通信可能とされている。
スマートフォン１は、演算部２０、通信部２６、ＩＣインタフェース部２７、ディスプレイ２８、入力部２９、通信用ＩＣカード装着部３１、車両用ＩＣカード装着部３２、住宅用ＩＣカード装着部３３、メモリカード装着部３４、を備えている。
【００２１】
通信部２６は、通信基地局５０を介した通信を行うための周知の通信モジュールとして構成されている。
ＩＣインタフェース部２７は、通信基地局５０を介することなく通信を行うための部位であり、例えば、国際標準規格ISO／IEC 18092（NFCIP-1）やISO／IEC 14443等で規定される通信を行うためのＮＦＣ（Near Field Communication）ポートとして構成されている。この通信部２６は、車両に設けられた読取部６１や建物に設けられた読取部７１との間で、非接触での通信を行うために用いられる。
【００２２】
ディスプレイ２８および入力部２９は、スマートフォン１における画像を表示させるため、或いは使用者からの指示を入力するための周知の構成とされている。入力部２９から入力された指令は演算部２０に送られ、ディスプレイ２８は演算部２０からの指令に基づく画像を表示させる。
【００２３】
通信用ＩＣカード装着部３１は、いわゆるＳＩＭカード（Subscriber Identity Module Card）として構成された通信用ＩＣカード１１を着脱自在に装着するためのコネクタとして構成されている。車両用ＩＣカード装着部３２は、車両の鍵としてのＩＤ（識別情報）が記録された車両用ＩＣカード１２を着脱自在に装着するためのコネクタとして構成されている。
【００２４】
住宅用ＩＣカード装着部３３は、建物（ここでは使用者の自宅）の鍵としてのＩＤが記録された住宅用ＩＣカード１３を着脱自在に装着するためのコネクタとして構成されている。メモリカード装着部３４は、フラッシュメモリ等のストレージデバイスとして構成されたメモリカード１４を着脱自在に装着するためのコネクタとして構成されている。
【００２５】
ここで、各装着部３１〜３４は、それぞれ異なる形状のカードのみを装着可能に構成されており、他の種別のカードが誤装着されないよう配慮されている。
次に、演算部２０は、ＣＰＵ２１およびＲＯＭ、ＲＡＭ等のメモリ２２を備えたコンピュータとして構成されている。演算部２０は、車両用ＩＣカード装着部３２を介して識別情報を読み出し、ＩＣインタフェース部２７において保持することで車載装置６０の読取部６１から識別情報を読み取り可能とする。また、演算部２０は、住宅用ＩＣカード装着部３３を介して識別情報を読み出し、ＩＣインタフェース部２７において保持することで建物側装置７０の読取部７１から識別情報を読み取り可能とする。
【００２６】
車載装置６０は、読取部６１、処理部６２、車外通信部６６、ログ記録部６７、アクチュエータ６８、車内通信部６９、を備えている。
読取部６１は、スマートフォン１におけるＩＣインタフェース部２７にて保持された識別情報の読み取りを行う。
【００２７】
車外通信部６６は、前述の通信部２６と同様に通信基地局５０を介した通信を行うための周知の通信モジュールとして構成されている。
ログ記録部６７は、後述する認証結果を記録するための記録領域（メモリ）として構成されている。
【００２８】
アクチュエータ６８は、車両における解錠または施錠、或いは車両を走行させる準備をするため（例えばエンジンを始動するため）のモータやリレー等として構成されている。
車内通信部６９は、車両に搭載された車載装置６０以外の他の装置と車内ＬＡＮ（図示省略）を通じて通信を行うための通信モジュールとして構成されている。
【００２９】
処理部６２は、ＣＰＵ６３およびＲＯＭ、ＲＡＭ等のメモリ６４を備えたコンピュータとして構成されている。処理部６２は、後述する解錠／施錠処理や、車両始動処理を実施する。
【００３０】
次に、建物側装置７０は、読取部７１、制御部７２、通信部７６、ログ記録部７７、アクチュエータ７８、を備えている。
読取部７１は、スマートフォン１におけるＩＣインタフェース部２７にて保持された識別情報の読み取りを行う。
【００３１】
通信部７６は、前述の通信部２６、６６と同様に通信基地局５０を介した通信を行うための周知の通信モジュールとして構成されている。
ログ記録部７７は、前述のログ記録部６７と同様に、後述する認証結果を記録するための記録領域（メモリ）として構成されている。
【００３２】
アクチュエータ７８は、建物における解錠または施錠をするためのモータやリレー等として構成されている。
制御部７２は、ＣＰＵ７３およびＲＯＭ、ＲＡＭ等のメモリ７４を備えたコンピュータとして構成されている。制御部７２は、後述する解錠／施錠処理を実施する。
【００３３】
サーバ８０は、ＣＰＵ８１、メモリ８２、データベース８３を備えた周知のサーバとして構成を備えている。サーバ８０では、後述するサーバ処理を実施する。
［本実施形態の処理］
このように構成された認証システム１００において、車載装置６０および建物側装置７０は、図３に示す解錠／施錠処理を実施する。解錠／施錠処理は、例えば、車載装置６０または建物側装置７０の電源が投入されると開始される処理である。
【００３４】
解錠／施錠処理では、図３に示すように、まず、読取部６１，７１にてＩＣ情報（有効なＩＣカードが装着されたスマートフォン１のＩＣインタフェース部２７）を検出したか否かを判定する（Ｓ１０）。ＩＣ情報を検出していなければ（Ｓ１０：ＮＯ）、Ｓ１０の処理を繰り返す。
【００３５】
また、ＩＣ情報を検出していれば（Ｓ１０：ＹＥＳ）、ＩＣインタフェース部２７にて保持された識別情報を読み出し、予め登録された識別情報（車載装置６０や建物側装置７０のメモリ６４，７４等に記録されているもの）との照合を行う（Ｓ１５）。そして、照合の結果について判定を行う（Ｓ２０）。
【００３６】
ＩＣインタフェース部２７にて保持された識別情報と予め登録された識別情報とが一致すれば（Ｓ２０：ＹＥＳ）、解錠または施錠をするためのアクチュエータ６８，７８を作動させ、車両または建物の解錠または施錠を実施する（Ｓ３０）。そして、照合の結果として、照合に利用されたＩＤ、照合が成功したときの時刻、照合によって実施された処理（ここでは解錠または施錠）を示すログを、サーバ８０に送信し（Ｓ３５）、Ｓ１０の処理に戻る。
【００３７】
なお、Ｓ３５の処理では、サーバ８０との通信が途絶している場合に備えて、自身のログ記録部６７，７７にもサーバ８０に送信する情報と同内容の情報を記録させる。
また、Ｓ２０の処理にて、ＩＣインタフェース部２７にて保持された識別情報と予め登録された識別情報とが一致しなければ（Ｓ２０：ＮＯ）、エラーを出力し（Ｓ２５）、Ｓ１０の処理に戻る。なお、エラーを出力する場合に、前述のＳ３５の処理を実施してもよい。
【００３８】
次に、車載装置６０においては、図４に示す車両始動処理も実施する。車両始動処理は、車両を走行させるための電源（例えばエンジン等）が切られると開始され、前述の解錠／施錠処理とは並行して実施される処理である。
【００３９】
車両始動処理では、図４に示すように、解錠／施錠処理におけるＳ３０の処理に換えて、Ｓ４５の処理を実施する。この処理では、ＩＣインタフェース部２７にて保持された識別情報と予め登録された識別情報とが一致した場合に、車両の始動を許可する車両始動許可信号を出力する（Ｓ４５）。この信号が出力されているときに、使用者が車両のスタータスイッチ（図示省略）等を操作すると、エンジンが始動するなど、車両が走行可能な状態となる。
【００４０】
なお、車両始動処理では、Ｓ３５の処理が終了すると車両始動処理としての処理を終了する。
次に、サーバ８０は、図５に示すサーバ処理を実施する。サーバ処理は、車載装置６０および建物側装置７０からログを受信して記録し、ログを要求された際に提供する処理である。サーバ処理は、サーバ８０の電源が投入されると開始される。
【００４１】
詳細には、図５に示すように、まず、車載装置６０または建物側装置７０からログを受信したか否かを判定する（Ｓ１１０）。ログを受信していれば（Ｓ１１０：ＹＥＳ）、受信したログ（利用されたＩＤ、照合が成功したときの時刻、照合によって実施された処理）をデータベース８３に記録させる（Ｓ１１５）。また、ログを受信していなければ（Ｓ１１０：ＮＯ）、Ｓ１１５の処理を省略する。
【００４２】
続いて、インターネット網５に接続された装置から（例えばブラウジングアプリケーション（ブラウザ）を介して）、ログの要求があったか否かを判定する（Ｓ１２０）。ログの要求がなければ（Ｓ１２０：ＮＯ）、Ｓ１１０の処理に戻る。
【００４３】
また、ログの要求があれば（Ｓ１２０：ＹＥＳ）、ＩＤやパスワードを用いた周知の認証技術を用いて要求元の認証を行う（Ｓ１２５）。認証に成功した場合には（Ｓ１２５：ＹＥＳ）、ＩＤにて特定される対象となるログを出力し（Ｓ１３５）、Ｓ１１０の処理に戻る。また、認証に失敗した場合には（Ｓ１３０：ＮＯ）、Ｓ１２５の処理に戻る。なお、「ＩＤにて特定される対象となるログ」とは、例えば、使用者本人およびその家族等、予め設定された範囲のユーザに関するログが対象となる。
【００４４】
ここで、Ｓ１３５の処理において出力されるログのブラウザによる表示例を図６に示す。サーバ８０のデータベースにおいては、車載装置６０および建物側装置７０を利用可能なＩＤおよび使用者の名前が紐付けられて記録されており、ブラウザによる表示では、図６に示すように、利用されたＩＤ、照合が成功したときの時刻、照合によって実施された処理、に加えて、ＩＤから使用者を特定することで使用者の名前も表示される。
【００４５】
図６に示す例では車載装置６０に対する認証結果と建物側装置７０に対する認証結果とを時系列で合わせて表示させている。なお、これらの表示態様は、例えば使用者毎、装置毎に表示させるなど、任意の態様を取り得る。
【００４６】
［本実施形態による効果］
以上のように詳述した認証システム１００においては、車両に搭載された車載装置６０と、建物またはその付近に配置された建物側装置７０と、使用者とともに移動可能なスマートフォン１とを備えている。車載装置６０は、スマートフォン１に保持された識別情報（車両用ＩＣカード１２の情報）を読み取る読取部６１と、各種処理を行う処理部６２とを備えている。処理部６２は、識別情報を用いて認証を行い、認証が成功した場合に、車両における予め設定された作動を許可する。
【００４７】
また、建物側装置７０は、スマートフォン１に保持された識別情報（住宅用ＩＣカード１３の情報）を読み取る読取部７１と、各種処理を行う制御部７２とを備えている。制御部７２は、識別情報を用いて認証を行い、認証が成功した場合に、建物における予め設定された作動を許可する。
【００４８】
また、スマートフォン１は、車両用の鍵としての識別情報が記録された車両用ＩＣカード１２を読み取り可能な車両用ＩＣカード装着部３２と、建物の鍵としての識別情報が記録された住宅用ＩＣカード１３を読み取り可能な住宅用ＩＣカード装着部３３と、通信基地局５０を介することなく、車両に設けられた読取部６１および建物に設けられた読取部７１との間で通信を行うＩＣインタフェース部２７と、各種処理を行う演算部２０と、を備えている。
【００４９】
演算部２０は、車両用の識別情報の送信指令を受けると、車両用ＩＣカード装着部３２を介して識別情報を読み出し、ＩＣインタフェース部２７を介して読取部６１から識別情報を読み取り可能に保持する。また、演算部２０は、住宅用（建物用）の識別情報の送信指令を受けると、住宅用ＩＣカード装着部３３を介して識別情報を読み出し、ＩＣインタフェース部２７を介して読取部７１から識別情報を読み取り可能に保持する。
【００５０】
そして、車両用ＩＣカード装着部３２は、車両用ＩＣカード１２を着脱自在に構成されており、住宅用ＩＣカード装着部３３は、住宅用ＩＣカード１３を着脱自在に構成されている。
【００５１】
このような認証システム１００によれば、スマートフォン１にて保持された車両の識別情報を車両において読み取ることができるので、車両において識別情報を用いた認証を実施させることができる。したがって、スマートフォン１を車両用の鍵として利用することができる。よって、制御対象となる被制御装置の鍵（車両用の鍵）を簡素化することができ、使用者の利便性を高めることができる。
【００５２】
また、スマートフォン１を置き忘れた場合、車両を利用できなくすることができるので、スマートフォン１の利用者は駐車場でスマートフォン１の置き忘れに気付くことができる。よって、スマートフォン１の忘れ物を少なくすることができる。
【００５３】
また、このようなスマートフォン１によれば、スマートフォン１にて保持された建物の識別情報を建物において読み取ることができるので、建物において識別情報を用いた認証を実施させることができる。したがって、スマートフォン１を建物の鍵として利用することができる。よって、制御対象となる被制御装置の鍵（建物の鍵）を簡素化することができ、使用者の利便性を高めることができる。
【００５４】
また、スマートフォン１を置き忘れた場合、建物へ進入できなくすることができるので、スマートフォン１の利用者は建物の前でスマートフォン１の置き忘れに気付くことができる。よって、スマートフォン１の忘れ物を少なくすることができる。
【００５５】
また、上記認証システム１００のスマートフォン１において、車両用ＩＣカード装着部３２は、当該スマートフォン１に装着可能な他のＩＣカードとは異なる形状の車両用ＩＣカード１２を着脱自在に構成されている。また、住宅用ＩＣカード装着部３３は、当該スマートフォン１に装着可能な他のＩＣカードとは異なる形状の住宅用ＩＣカード１３を着脱自在に構成されている。
【００５６】
このような認証システム１００によれば、スマートフォン１において車両用ＩＣカード装着部３２や住宅用ＩＣカード装着部３３を特定のＩＣカード（車両用の鍵として利用される車両用ＩＣカード１２または建物の鍵として利用される住宅用ＩＣカード１３）専用とすることができるので、他のＩＣカードが誤って装着されることを抑制することができる。
【００５７】
また、上記認証システム１００において、車載装置６０の処理部６２は、認証結果をログ記録部６７またはデータベース８３に記録させる。また、建物側装置７０の制御部７２は、認証結果を予め設定されたログ記録部７７またはデータベース８３に記録させる。
【００５８】
このような認証システム１００によれば、認証結果をログとしてログ記録部６７，７７、またはデータベース８３に保存することができる。
さらに、上記認証システム１００において処理部６２および制御部７２は、予め使用者と識別情報とを紐付けた対応情報を用いて認証の際に使用者を特定し、時刻および使用者の情報を含む認証結果を記録させる。
【００５９】
このような認証システム１００によれば、使用者および時刻を記録させることができるので、いつ誰が認証を行ったかを記録することができる。
［その他の実施形態］
本発明は、上記の実施形態によって何ら限定して解釈されない。また、上記の実施形態の構成の一部を、課題を解決できる限りにおいて省略した態様も本発明の実施形態である。また、上記の複数の実施形態を適宜組み合わせて構成される態様も本発明の実施形態である。また、特許請求の範囲に記載した文言のみによって特定される発明の本質を逸脱しない限度において考え得るあらゆる態様も本発明の実施形態である。
【００６０】
例えば、上記実施形態においては、各識別情報（ＩＤ）をＩＣカード１２，１３に記録させるよう構成したが、各識別情報をメモリカード１４に記録させるようにしてもよい。この場合、例えば図７に示すように、メモリカードの記録領域を書き換え不可領域１５と書き換え可能領域１６とに分離しておき、書き換え不可領域１５において、ＩＣカード１２，１３に記録された識別情報と同様の識別情報を書き込んだＩＣカード情報領域１７を設けるようにすればよい。
【００６１】
このようにすれば、スマートフォン１において車両用ＩＣカード装着部３２および住宅用ＩＣカード装着部３３を不要とすることができ、通信用ＩＣカード装着部３１とメモリカード装着部３４とを備えた既存のスマートフォン１等の端末装置を利用して本発明を構成することができる。また、書き換え不可領域１５に識別情報を記録することで、メモリカード１４の不正な書き換えを抑制することができる。
【００６２】
また、上記実施形態においては、スマートフォン１において車両の鍵や建物の鍵を組み込むよう構成したが、スマートフォン１に車両や建物の既存の無線キーを収納するポケット等の収納部を備えておくようにしてもよい。このようにすれば、より簡素な構成とすることができる。
【００６３】
さらに、上記実施形態では、ＮＦＣの技術を用いてスマートフォン１と車両や建物等との通信を行ったが、赤外線通信や電波通信等の通信方法を利用してもよい。
また、上記実施形態では、車両や建物を被制御装置とした例を説明したが、被制御装置としては、車両や建物以外にも、例えば、金庫、引出し、シャッタ、ガレージ、門扉、スーツケース等、施錠を行う必要がある物品や構造物に付随する装置、或いは、車両、コンピュータ、警備会社のセキュリティシステム等、鍵で認証することで作動を許可する装置等を適用することができる。
【００６４】
また、使用者が身に付けた腕時計等、近距離無線通信が可能な装置と、スマートフォン１とを通信状態（ペアリング状態）としておき、この装置とスマートフォン１との距離が一定距離以上（例えば通信圏外まで）離れたときに、何れかの装置において報知を行うようにしてもよい。報知の態様としては、音、光、振動等、使用者の五感に訴える態様を採用することができる。
【００６５】
［実施形態の構成と本発明の手段との対応関係］
上記実施形態におけるスマートフォン１は、本発明でいう移動通信装置に相当し、上記実施形態における住宅用ＩＣカード１３は、本発明でいう識別媒体に相当する。また、上記実施形態における住宅用ＩＣカード装着部３３は、本発明でいう媒体読取部に相当し、上記実施形態におけるＩＣインタフェース部２７は、本発明でいう対装置通信手段に相当する。
【００６６】
さらに、上記実施形態における演算部２０は、本発明でいう識別情報保持手段に相当し、上記実施形態におけるログ記録部６７、データベース８３は、本発明でいう記録手段に相当する。また、上記実施形態における読取部６１は、本発明でいう被制御読取部に相当する。
【００６７】
また、上記実施形態における処理のうち、Ｓ１５、Ｓ２０の処理は、本発明でいう認証手段に相当し、上記実施形態におけるＳ３０、Ｓ４５の処理は、本発明でいう許可手段に相当する。さらに、上記実施形態におけるＳ３５の処理は、本発明でいう記録制御手段に相当する。
【符号の説明】
【００６８】
１…スマートフォン、５…インターネット網、１１…通信用ＩＣカード、１２…車両用ＩＣカード、１３…住宅用ＩＣカード、１４…メモリカード、１５…書き換え不可領域、１６…書き換え可能領域、１７…ＩＣカード情報領域、２０…演算部、２１…ＣＰＵ、２２…メモリ、２６…通信部、２７…ＩＣインタフェース部、２８…ディスプレイ、２９…入力部、３１…通信用ＩＣカード装着部、３２…車両用ＩＣカード装着部、３３…住宅用ＩＣカード装着部、３４…メモリカード装着部、５０…通信基地局、６０…車載装置、６１…読取部、６２…処理部、６３…ＣＰＵ、６４…メモリ、６６…車外通信部、６７…ログ記録部、６８…アクチュエータ、６９…車内通信部、７０…建物側装置、７１…読取部、７２…制御部、７３…ＣＰＵ、７４…メモリ、７６…通信部、７７…ログ記録部、７８…アクチュエータ、８０…サーバ、８１…ＣＰＵ、８２…メモリ、８３…データベース、１００…認証システム。
【図１】
2015034441.tif 000003
【図２】
2015034441.tif 000004
【図３】
2015034441.tif 000005
【図４】
2015034441.tif 000006
【図５】
2015034441.tif 000007
【図６】
2015034441.tif 000008
【図７】
2015034441.tif 000009